(57)【要約】【課題】テープリールのがた付きを確実に規制できるうえに、そのがた付きの規制用の規制ボスの破損等を低減できるテープカートリッジ用の収納ケースを得る。【解決手段】収納ケース１は、テープリール１２のリールハブ２５の開口２３とテープリール１２の下面１２ａに突出した環状突起３３とが駆動軸挿入穴３２に臨んでいるテープカートリッジ９を収納する。収納ケース１の収納体２の底面２ａに規制ボス１３を突出してある。規制ボス１３は、収納体２の底面２ａから上向きに延びる軸体３５と、軸体３５の基端に沿って突出形成された台座３６とを有する。規制ボス１３の軸体３５はテープカートリッジ９の駆動軸挿入穴３２からリールハブ２５内に入り込み、台座３６はテープカートリッジ９の環状突起３３の内側に位置する。規制ボス１３の台座３６とテープカートリッジ９の環状突起３３との間の隙間寸法Ｌ１は、規制ボス１３の軸体３５とテープカートリッジ９のリールハブ２５との間の隙間寸法Ｌ２よりも小さくなっている。【選択図】図１
2008213880.tif 000002
【特許請求の範囲】
【請求項１】
本体ケース内に配置したテープリールの筒状のリールハブに記録用テープを巻き付けてあり、前記リールハブの下面に設けた開口と、前記リールハブの前記開口を囲むように前記テープリールの下面に突出形成した環状の環状突起とが、前記本体ケースの底板に開口した駆動軸挿入穴に臨んでいるテープカートリッジを収納対象とし、
前記テープカートリッジを収納するための開口を上面に設けた箱形状の収納体と、その収納体の開口上面を開閉する蓋体とを備えた収納ケースにおいて、
前記収納体の底面であって、前記収納された前記テープカートリッジの前記リールハブの前記開口に臨む位置に、規制ボスが突出形成されており、
前記規制ボスは、前記収納体の前記底面から上向きに延びる軸体と、前記軸体の基端部に繋がった状態で前記収納体の前記底面から上向きに突出する台座とを有しており、
前記規制ボスの前記軸体は、前記テープカートリッジの前記駆動軸挿入穴から前記リールハブ内に入り込むようになっており、
前記規制ボスの前記台座は、前記テープカートリッジの前記環状突起の内側に位置するようになっており、
前記規制ボスの前記台座の外周面と前記テープカートリッジの前記環状突起の内周面との間の隙間寸法が、前記規制ボスの前記軸体の外周面と前記テープカートリッジの前記リールハブの内面との間の隙間寸法よりも小さくなっていることを特徴とするテープカートリッジ用の収納ケース。
【請求項２】
前記テープカートリッジの前記リールハブ内の上部には、テープドライブ装置の駆動軸に係合するギヤ歯が設けられており、
前記テープカートリッジの前記環状突起の内周面が前記規制ボスの前記台座の外周面に当接した状態でも、前記規制ボスの前記軸体と前記テープリールの前記ギヤ歯との間に隙間が形成されるように、前記規制ボスの前記軸体の形状を設定してある請求項１に記載のテープカートリッジ用の収納ケース。
【請求項３】
前記規制ボスの前記台座の外周面と前記テープカートリッジの前記環状突起の内周面との間の隙間寸法が、前記規制ボスの前記軸体の外周面と前記テープカートリッジの前記ギヤ歯との間の隙間寸法よりも小さくなっている請求項２に記載のテープカートリッジ用の収納ケース。
【請求項４】
前記規制ボスの前記台座の上面に、前記軸体の周方向に沿って凹ませた環状の溝を設けてある請求項１と２と３の何れかに記載のテープカートリッジ用の収納ケース。
【請求項５】
前記規制ボスの前記台座が、前記軸体と所定間隔をあけて前記軸体の周方向に環状に突出形成された環状突起部と、前記環状突起部と前記軸体とを繋ぐように形成されたリブとで構成されている請求項１と２と３の何れかに記載のテープカートリッジ用の収納ケース。
【発明の詳細な説明】
【技術分野】
【０００１】
本発明は、テープカートリッジを収納保存し、あるいは携行する際に使用するためのテープカートリッジ用の収納ケースに関するものである。
【背景技術】
【０００２】
特許文献１には、収納ケースの底面に設けた第２のリブがテープカートリッジのテープリールのリール穴に嵌合することで、第２のリブによってテープリールのがた付きを規制するテープカートリッジ用の収納ケースが開示されている。
【０００３】
【特許文献１】特開平６−１０００７１号公報（段落番号００３３、図４）
【発明の開示】
【発明が解決しようとする課題】
【０００４】
収納ケース内にテープカートリッジを収納して携行したときにはテープカートリッジが振られて、テープリールのリール穴の内面が収納ケースの第２のリブに頻繁に衝突してしまうことになる。その場合、特許文献１の収納ケースでは、前記衝突の衝撃を第２のリブのみで受け止め続けることになるため、長期の使用によって第２のリブが疲労してしまって、第２のリブが破損等するおそれがある。
【０００５】
そこで本発明の目的は、テープリールのがた付きを確実に規制できるうえに、そのがた付きの規制に用いる規制ボスの疲労等を抑えて規制ボスの破損等を低減できるテープカートリッジ用の収納ケースを提供することにある。
【課題を解決するための手段】
【０００６】
本発明に係るテープカートリッジ用の収納ケース１は、本体ケース１０内に配置したテープリール１２の筒状のリールハブ２５に記録用テープ２１を巻き付けてあり、リールハブ２５の下面に設けた開口２３と、リールハブ２５の開口２３を囲むようにテープリール１２の下面１２ａに突出形成した環状の環状突起３３とが、本体ケース１０の底板３０に開口した駆動軸挿入穴３２に臨んでいるテープカートリッジ９を収納対象とし、テープカートリッジ９を収納するための開口を上面に設けた箱形状の収納体２と、収納体２の開口上面を開閉する蓋体５とを備えた収納ケース１において、収納体２の底面２ａであって、収納されたテープカートリッジ９のリールハブ２５の開口２３に臨む位置に、規制ボス１３が突出形成されており、規制ボス１３は、収納体２の底面２ａから上向きに延びる軸体３５と、軸体３５の基端部に繋がった状態で収納体２の底面２ａから上向きに突出する台座３６とを有しており、規制ボス１３の軸体３５は、テープカートリッジ９の本体ケース１０の駆動軸挿入穴３２からリールハブ２５内に入り込むようになっており、規制ボス１３の台座３６は、テープカートリッジ９の環状突起３３の内側に位置するようになっており、規制ボス１３の台座３６の外周面３６ａとテープカートリッジ９の環状突起３３の内周面３３ａとの間の隙間寸法Ｌ１が、規制ボス１３の軸体３５の外周面３５ａとテープカートリッジ９のリールハブ２５の内周面２５ａとの間の隙間寸法Ｌ２よりも小さくなっていることを第１の特徴とする（図１〜図４）。
【０００７】
本発明に係るテープカートリッジ用の収納ケース１の第２の特徴は、前記第１の特徴に加えて、テープカートリッジ９のリールハブ２５内の上部に、テープドライブ装置の駆動軸に係合するギヤ歯２９が設けられており、テープカートリッジ９の環状突起３３の内周面３３ａが規制ボス１３の台座３６の外周面３６ａに当接した状態でも、規制ボス１３の軸体３５とテープリール１２のギヤ歯２９との間に隙間が形成されるように、規制ボス１３の軸体３５の形状を設定してある点にある（図４）。
【０００８】
本発明に係るテープカートリッジ用の収納ケース１の第３の特徴は、前記第２の特徴に加えて、規制ボス１３の台座３６の外周面３６ａとテープカートリッジ９の環状突起３３の内周面３３ａとの間の隙間寸法Ｌ１が、規制ボス１３の軸体３５の外周面３５ａとテープカートリッジ９のギヤ歯２９との間の隙間寸法Ｌ３よりも小さくなっている点にある（図１）。
【０００９】
本発明に係るテープカートリッジ用の収納ケース１の第４の特徴は、前記第１、第２および第３の何れかの特徴に加えて、規制ボス１３の台座３６の上面３６ｂに、軸体３５の周方向に沿って凹ませた環状の溝３９が設けられている点にある（図７）。
【００１０】
本発明に係るテープカートリッジ用の収納ケース１の第５の特徴は、前記第１、第２および第３の何れかの特徴に加えて、規制ボス１３の台座３６が、軸体３５と所定間隔をあけて軸体３５の周方向に環状に突出形成された環状突起部４０と、環状突起部４０と軸体３５とを繋ぐように形成されたリブ４１とで構成されている点にある（図８）。
【発明の効果】
【００１１】
本発明のテープカートリッジ用の収納ケース１は、規制ボス１３の台座３６の外周面３６ａとテープカートリッジ９の環状突起３３の内周面３３ａとの間の隙間寸法Ｌ１が、規制ボス１３の軸体３５の外周面３５ａとテープカートリッジ９のテープリール１２のリールハブ２５の内周面２５ａとの間の隙間寸法Ｌ２よりも小さくなっているので、テープカートリッジ９のテープリール１２がずれ動こうとしたときには、テープリール１２のリールハブ２５の内周面２５ａが収納ケース１の規制ボス１３の軸体３５に当接する前に、テープリール１２の環状突起３３が収納ケース１の規制ボス１３の台座３６に当接して、テープリール１２のずれ動きを規制する。しかも、規制ボス１３の台座３６でテープリール１２を受け止め損なっても規制ボス１３の軸体３５がテープリール１２を受け止めるので、規制ボス１３によってテープリール１２のがた付き（ずれ動き）を確実に規制することができる。そして、規制ボス１３の台座３６がテープリール１２を受け止める分だけ、規制ボス１３の軸体３５は、テープリール１２との衝突に対する負担が軽減され、その分だけ軸体３５の疲労が抑えられて、軸体３５の破損等を低減することができる。また、軸体３５の基端部が台座３６で補強されることになって、軸体３５の破損等をより抑えることができる。
【００１２】
本発明では、テープカートリッジ９のテープリール１２のずれ動きによって環状突起３３の内周面３３ａが、収納ケース１の規制ボス１３の台座３６の外周面３６ａに当接したときに、規制ボス１３の軸体３５とテープカートリッジ９のテープリール１２のギヤ歯２９との間に隙間が介在しているので、テープリール１２がずれ動いた際のテープカートリッジ９のギヤ歯２９と規制ボス１３の軸体３５との干渉を確実に防止でき、ギヤ歯２９や軸体３５の破損等を確実に抑えることができる。
【００１３】
本発明では、規制ボス１３の台座３６の外周面３６ａとテープカートリッジ９の環状突起３３の内周面３３ａとの間の隙間寸法Ｌ１が、収納ケース１の規制ボス１３の軸体３５の外周面３５ａとテープカートリッジ９のテープリール１２のギヤ歯２９との間の隙間寸法Ｌ３よりも小さくなっているので、これによってもテープカートリッジ９のギヤ歯２９と規制ボス１３の軸体３５との干渉を確実に防止でき、ギヤ歯２９や軸体３５の破損等を確実に抑えることができる。
【００１４】
本発明では、規制ボス１３の台座３６の上面３６ｂに溝３９を形成したので、その溝３９の分だけ規制ボス１３の材料が減量されて、収納ケース１の軽量化と収納ケース１の料コストの低減化を図ることができる。
【００１５】
本発明では、規制ボス１３の台座３６を環状突起部４０とリブ４１とで構成したので、規制ボス１３の材料をより減量できながら、リブ４１によって台座３６の強度の低下を抑えることができる。
【発明を実施するための最良の形態】
【００１６】
（第１実施例）  図１ないし図６は、本発明に係るテープカートリッジ用の収納ケースの第１実施例を示している。収納ケース１は、図２および図３に示すように、テープカートリッジ９を収納するための開口を上面に設けた収納体２と、収納体２に連続する背面板３と、背面板３に連続する蓋体５とを一体形成したプラスチック成形品から成る。
【００１７】
収納体２は、横長の長方形状の底板６と、底板６の上面の周縁に沿って立ち上げ形成した四角枠形状の周囲枠７とで浅い四角箱形状に形成してある。底板６は、周囲枠７の外側に、蓋体５を受け止めるためのフランジ部６ａを張り出し形成してある。収納体２の周囲枠７には、前後枠部の左右位置および左右枠部の前後位置にそれぞれ内向きに膨出部１１をそれぞれ膨出形成してある。各膨出部１１は、テープカートリッジ９の横長の四角箱形状の本体ケース１０の周側面を受け止める（図３の状態）。
【００１８】
蓋体５は、収納体２の開口上面を開閉するようになっており、収納体２の底板６と同形同大の上板１５と、上板１５の周縁に沿って立ち上げ形成したコ字枠状の周囲枠１６とで形成してある。収納体２と背面板３とは、隣接縁に設けた薄肉のヒンジ１７を介して繋がっており、背面板３と蓋体５とは、隣接縁に設けた薄肉のヒンジ１９を介して繋がっている。これにより、背面板３が収納体２に対してヒンジ１７で折り曲げ可能となり、同様に蓋体５が背面板３に対してヒンジ１９で折り曲げ可能となる。
【００１９】
そして、図２に示す開放状態から、背面板３をヒンジ１７で折り曲げて起立させるとともに、蓋体５をヒンジ１９で折り曲げて収納体２の開口上面に被せ付けることにより、収納体２の開口上面が蓋体５で閉じられるとともに、収納体２の周囲枠７の外側が蓋体５の周囲枠１６で覆われる。この状態で、蓋体５の周囲枠１６の突端が収納体２のフランジ部６ａで受け止められる。尚、収納体２と蓋体５との間には、蓋体５が不用意に開放揺動することを規制するためのロック構造（図示せず）が設けられている。
【００２０】
テープカートリッジ９は、図２および図３に示すように、本体ケース１０内に配置された左右一対のテープリール１２・１２に、磁気テープ等から成る記録用テープ２１を巻き付けてある。テープカートリッジ９の本体ケース１０には、ローディングポケットが形成されており、そのローディングポケットがリッド２２によって揺動開閉される。テープカートリッジ９の各テープリール１２は、図１および図４に示すように、記録用テープ２１が巻き付けられる円筒形状のリールハブ２５と、そのリールハブ２５の下端に一体形成されるドーナツ盤形状の下フランジ２６と、リールハブ２５の上端に超音波溶着等で固定されるドーナツ盤形状の上フランジ２７とを有している。
【００２１】
各テープリール１２のリールハブ２５の下面には円形の開口２３を設けてあり、リールハブ２５内の上部には、コンピュータ等の周辺機器であるテープドライブ装置の駆動軸（図示せず）に係合する６個のギヤ歯２９を設けてある。各ギヤ歯２９は、リールハブ２５の周方向へ等間隔おきに形成してあり、各ギヤ歯２９の下端面２９ａは、リールハブ２５の径方向へ斜めに傾斜している。各テープリール１２は、図４に示すように、板ばねから成るリール押えばね３１で下向きに押圧されている。
【００２２】
テープリール１２の下フランジ２６の下面１２ａの中央部には、所定間隔をあけてリールハブ２５の下面開口２３を囲む円環状の環状突起３３を突出形成してあり（図５参照）、その環状突起３３とリールハブ２５の下面開口２３とが、本体ケース１０の底板３０に開口した駆動軸挿入穴３２に臨んでいる。尚、リールハブ２５の内面の下端部は、テーパ状に形成されている。
【００２３】
そして、テープカートリッジ９をテープドライブ装置に装着したときには、リッド２２が開いて本体ケース１０から記録用テープ２１が引き出される。その際には、テープドライブ装置の駆動軸が、本体ケース１０の各駆動軸挿入穴３２を介して各テープリール１２のリールハブ２５内にそれぞれ入り込んで、リールハブ２５内のギヤ歯２９に係合する。その状態で、テープドライブ装置の駆動軸によってテープリール１２・１２が駆動されて、記録用テープ２１が所定の速度で走行し、テープドライブ装置に配置したヘッドで記録用テープ２１に記録されている信号が記録用テープ２１から読み出され、または前記ヘッドで信号が記録用テープ２１に記録される。
【００２４】
収納ケース１の収納体２の底面２ａであって、収納ケース１内に収納されたテープカートリッジ９の各テープリール１２のリールハブ２５の下面開口２３に臨む位置には、図１および図２に示すように、テープリール１２・１２のがた付きを規制するための左右一対の規制ボス１３・１３が突出形成されている。各規制ボス１３は、収納体２の底面２ａから上向きに延びる円筒形状の軸体３５と、その軸体３５の基端部に繋がった状態で収納体２の底面２ａから上向きに突出する円盤形状の台座３６とを有している。各規制ボス１３の台座３６は所定の上下厚み寸法を有しており、台座３６の径寸法は、リールハブ２５の下面開口２３の径寸法よりも大きくなっている。各規制ボス１３の軸体３５は、上下高さ寸法が台座３６の上下厚み寸法よりも大きくなっており、軸体３５の径寸法は、リールハブ２５の下面開口２３の径寸法よりも小さくなっている。軸体３５の上端部３５ｂは、テーパ状に形成されている。
【００２５】
そして、図２に示す開放状態において、テープカートリッジ９のリッド２２が収納ケース１の背面板３側に向く姿勢で、テープカートリッジ９を収納体２内に収納したときには、収納ケース１の各規制ボス１３の軸体３５が、テープカートリッジ９の本体ケース１０の各駆動軸挿入穴３２から各テープリール１２のリールハブ２５内にそれぞれ入り込み、各規制ボス１３の台座３６がテープカートリッジ９の各環状突起３３の内側にそれぞれ位置する（図１の状態）。その状態で、背面板３を起立させながら蓋体５を収納体２に被せ付けることにより、テープカートリッジ９が収納ケース１内に収納保存される。
【００２６】
図１に示すテープカートリッジ９を収納ケース１内に収納した状態において、収納ケース１の各規制ボス１３の台座３６の外周面３６ａとテープカートリッジ９の各テープリール１２の環状突起３３の内周面３３ａとの間の隙間寸法Ｌ１は、収納ケース１の各規制ボス１３の軸体３５の外周面３５ａとテープカートリッジ９の各テープリール１２のリールハブ２５の内周面２５ａとの間の隙間寸法Ｌ２よりも小さくなっている。また、各規制ボス１３の台座３６とテープカートリッジ９の環状突起３３との間の隙間寸法Ｌ１は、収納ケース１の各規制ボス１３の軸体３５の上端部３５ｂの外周面３５ａとテープカートリッジ９の各テープリール１２のギヤ歯２９の下端面２９ａとの間の隙間寸法Ｌ３よりも小さくなっている。
【００２７】
これにより、収納ケース１内のテープカートリッジ９の各テープリール１２がずれ動こうとしたときには、各テープリール１２のリールハブ２５の内周面２５ａが収納ケース１の各規制ボス１３の軸体３５の外周面３５ａに当たる前に、図４に示すように各テープリール１２の環状突起３３の内周面３３ａが、収納ケース１の各規制ボス１３の台座３６の外周面３６ａに当接して、各テープリール１２のずれ動きが規制される。テープカートリッジ９の各環状突起３３の内周面３３ａが収納ケース１の各規制ボス１３の台座３６の外周面３６ａに当接した状態でも、収納ケース１の各規制ボス１３の軸体３５とテープカートリッジ９の各テープリール１２のギヤ歯２９との間に隙間が形成されるように、各規制ボス１３の軸体３５の形状を設定してある。
【００２８】
また、図６に示すように、例えば収納ケース１の上下を逆にしたことで、テープカートリッジ９の各テープリール１２が蓋体５側（図６では下側）に偏ったときには、各テープリール１２の環状突起３３が、収納ケース１の各規制ボス１３の台座３６から外れ易くなる。その場合には、各テープリール１２のリールハブ２５の内周面２５ａが、収納ケース１の各規制ボス１３の軸体３５の外周面３５ａに受け止められ（図６の状態）、これによって各テープリール１２のずれ動きが規制される。つまり、各テープリール１２は、各規制ボス１３の台座３６で受け止め損なっても収納ケース１の各規制ボス１３の軸体３５で確実に受け止められる。
【００２９】
（第２実施例）  図７は、本発明に係るテープカートリッジ用の収納ケースの第２実施例を示している。第２実施例の収納ケース１は、各規制ボス１３の台座３６の上面３６ｂに、軸体３５の周方向に沿って凹ませた環状の溝３９が設けられている。それ以外は、第１実施例と同様に形成してあるので説明を省略する。第２実施例では、台座３６に溝３９を形成した分だけ各規制ボス１３の材料が減量されることになる。
【００３０】
（第３実施例）  図８は、本発明に係るテープカートリッジ用の収納ケースの第３実施例を示している。第３実施例の収納ケース１は、各規制ボス１３の台座３６が、軸体３５と所定間隔をあけて軸体３５の周方向に円環状に突出形成された環状突起部４０と、環状突起部４０の内周面４０ａと軸体３５の基端部とを繋ぐように形成された４枚のリブ４１とで構成されている。各リブ４１は、軸体３５の周方向へ等間隔おきに形成してある。それ以外は、第１実施例と同様に形成してあるので説明を省略する。第３実施例では、台座３６を環状突起部４０とリブ４１とで構成した分だけ各規制ボス１３の材料をより減量できながら、リブ４１によって台座３６の強度の低下を抑えることができる。
【００３１】
第１実施例〜第３実施例において、各規制ボス１３の台座３６は、周方向に複数に分割されていてもよい。各規制ボス１３の軸体３５は、円筒形状に形成することで軽量化を図っているが、中実の円柱形状に形成してもよい。
【図面の簡単な説明】
【００３２】
【図１】本発明に係る収納ケースの第１実施例を示す図３のＡ−Ａ線断面図である。
【図２】収納ケースとテープカートリッジとを分離した状態で示す斜視図である。
【図３】収納ケースの蓋体を開放した状態を示す平面図である。
【図４】テープカートリッジの環状突起が収納ケースの規制ボスの台座に受け止められた状態を示す縦断側面図である。
【図５】図４のＢ−Ｂ線断面図である。
【図６】テープカートリッジのリールハブが収納ケースの規制ボスの軸体に受け止められた状態を示す縦断側面図である。
【図７】第２実施例の収納ケースの規制ボスを示す縦断側面図である。
【図８】第３実施例の収納ケースの規制ボスを示す斜視図である。
【符号の説明】
【００３３】
１  収納ケース
２  収納体
２ａ  底面
５  蓋体
６  底板
９  テープカートリッジ
１０  本体ケース
１２  テープリール
１２ａ  下面
１３  規制ボス
２１  記録用テープ
２３  開口
２５  リールハブ
２５ａ  内周面
２９  ギヤ歯
３０  底板
３２  駆動軸挿入穴
３３  環状突起
３３ａ  内周面
３５  軸体
３５ａ  外周面
３６  台座
３６ａ  外周面
３６ｂ  上面
４０  環状突起部
４１  リブ
Ｌ１・Ｌ２・Ｌ３  隙間寸法
【図１】
2008213880.tif 000003
【図２】
2008213880.tif 000004
【図３】
2008213880.tif 000005
【図４】
2008213880.tif 000006
【図５】
2008213880.tif 000007
【図６】
2008213880.tif 000008
【図７】
2008213880.tif 000009
【図８】
2008213880.tif 000010